(57)【要約】  ケーシング１内を仕切板６で圧縮機室７と熱交換器室８とに仕切り、圧縮機室７内に圧縮機３を配置する一方、熱交換器室８内に熱交換器４とファン５とベルマウス１４を配置する。ケーシング１内の上部に、電装部品を収容する電装部品箱１０を配置する。電装部品に熱的に接続されたヒートシンク１１を、電装部品箱１０の側面に配置して熱交換器室８に臨ませる。ヒートシンク１１の熱交換器４側の端面に、熱交換器４からの空気がヒートシンク１１に入ることを妨げる遮蔽板１２を配置する。熱交換器４の上部の冷媒入口から流入する高温の冷媒ガスと熱交換して高温になった空気が、ヒートシンク１１に入ることを防止できるので、ヒートシンク１１の熱交換能力を従来よりも向上できる。【特許請求の範囲】
【請求項１】
圧縮機（３）と、
上記圧縮機（３）を収容する圧縮機室（７）と、
冷媒と空気との熱交換を行う熱交換器（４）と、
上記熱交換器（４）に風を送るファン（５）と、
上記ファン（５）の外周囲に位置するベルマウス（１４）と、
上記熱交換器（４）、ファン（５）およびベルマウス（１４）を収容すると共に、上記熱交換器（４）からの風が通る風通路を有する熱交換器室（８）と、
上記圧縮機室（７）と熱交換器室（８）とを仕切る仕切板（６）と、
電装部品と、
上記仕切板（６）よりも風通路側に配置されていると共に、上記電装部品に熱的に接続されたヒートシンク（１１）と、
上記熱交換器（４）と上記ヒートシンク（１１）との間、かつ、上記ヒートシンク（１１）よりも上記風通路における上流側に設けられて、上記熱交換器（４）の局部を通った風が直接上記ヒートシンク（１１）に当たるのを遮る遮蔽部材（１２）と
を備えることを特徴とする空気調和機の室外機。
【請求項２】
圧縮機（３）と、
上記圧縮機（３）を収容する圧縮機室（７）と、
冷媒と空気との熱交換を行う熱交換器（４）と、
上記熱交換器（４）に風を送るファン（５）と、
上記熱交換器（４）及びファン（５）を収容すると共に、上記熱交換器（４）からの風が通る風通路を有する熱交換器室（８）と、
上記圧縮機室（７）と熱交換器室（８）とを仕切る仕切板（６）と、
電装部品と、
上記仕切板（６）よりも風通路側に配置されていると共に、上記電装部品に熱的に接続されたヒートシンク（１１）と、
上記熱交換器（４）と上記ヒートシンク（１１）との間に設けられて、上記熱交換器（４）の局部からの輻射熱が上記ヒートシンク（１１）に入射することを遮る遮蔽部材（１２）と
を備えることを特徴とする空気調和機の室外機。
【請求項３】
請求項１又は２に記載の空気調和機の室外機において、
上記ヒートシンク（１１）は、上記熱交換器室（８）の風通路の上部に位置することを特徴とする空気調和機の室外機。
【請求項４】
請求項３に記載の空気調和機の室外機において、
上記熱交換器（４）の上部に、上記圧縮機（３）で圧縮された上記冷媒が入る冷媒入口が設けられていることを特徴とする空気調和機の室外機。
【請求項５】
請求項１乃至４のいずれか１つに記載の空気調和機の室外機において、
上記ヒートシンクは、上記ベルマウスの外周面に沿って流れる風によって冷却されることを特徴とする空気調和機の室外機。
【発明の詳細な説明】
【技術分野】
【０００１】
本発明は、空気調和機の室外機に関し、詳しくは、電装部品のヒートシンクの取付部の構造を改良した空気調和機の室外機に関する。
【背景技術】
【０００２】
従来、空気調和機の室外機としては、箱状のケーシング内を仕切部材で区画して、熱交換器およびファンを収容する熱交換室と、電装部品を収容する電装部品室とを形成し、上記仕切部材の熱交換室側に冷却フィンを設けると共に、上記電装品室の上記冷却フィンに対応する位置に、インバータ制御素子を取り付けたものがある（例えば特開平９−２３６２８６号公報参照）。【０００３】
上記インバータ制御素子は、上記電装部品室の下方に配置された圧縮機に電力を供給するものであり、この圧縮機への電力供給に伴って発生した熱を、上記冷却フィンを介して熱交換室側に排出するようにしている。上記冷却フィンは、上記熱交換器に近接して配置されている。【０００４】
しかしながら、上記従来の空気調和機の室外機は、冷房運転時に、熱負荷や外気温等の条件により、約８０℃程度の高温の風が、上記熱交換器から冷却フィンに直接流れる場合がある。この場合、上記冷却フィンは、温度が約９０℃程度になる上記インバータ制御素子を、殆ど冷却できなくなる。その結果、上記インバータ制御素子を含む電装部品の冷却効率が、大幅に悪化するという問題がある。
【発明の開示】
【発明が解決しようとする課題】
【０００５】
そこで、本発明の課題は、冷房運転時に、電装部品を効果的に冷却できる空気調和機の室外機を提供することにある。
【課題を解決するための手段】
【０００６】
上記課題を解決するため、本発明の空気調和機の室外機は、
圧縮機と、
上記圧縮機を収容する圧縮機室と、
冷媒と空気との熱交換を行う熱交換器と、
上記熱交換器に風を送るファンと、
上記ファンの外周囲に位置するベルマウスと、
上記熱交換器、ファンおよびベルマウスを収容すると共に、上記熱交換器からの風が通る風通路を有する熱交換器室と、
上記圧縮機室と熱交換器室とを仕切る仕切板と、
電装部品と、
上記仕切板よりも風通路側に配置されていると共に、上記電装部品に熱的に接続されたヒートシンクと、
上記熱交換器と上記ヒートシンクとの間、かつ、上記ヒートシンクよりも上記風通路における上流側に設けられて、上記熱交換器の局部を通った風が直接上記ヒートシンクに当たるのを遮る遮蔽部材と
を備えることを特徴としている。【０００７】
上記構成によれば、冷房運転時に、上記圧縮機で圧縮された冷媒が上記熱交換器に供給され、この熱交換器に上記ファンで風が送られて、上記冷媒と空気の熱交換が行われる。ここで、上記遮蔽部材によって、上記熱交換器の局部を通った風が直接上記ヒートシンクに当たることが妨げられるので、このヒートシンクには、上記熱交換器の局部以外の部分を通ってミキシングされた風が導かれる。この熱交換器の局部以外の部分を通ってミキシングされた風は、温度が平均化されているから、熱交換器の局部を通った風よりも温度が低い。したがって、上記ヒートシンクの温度を従来よりも低くできるので、このヒートシンクを介した上記電装部品の冷却効率を、従来よりも向上することができる。【０００８】
なお、上記遮蔽部材は、上記熱交換器の局部を通った風がヒートシンクに当たることを妨ぐことができればよく、上記ヒートシンクには、熱交換器の局部以外の熱交換器の部分を通った風が流れてもよい。【０００９】
本発明の他の側面による空気調和機の室外機は、
圧縮機と、
上記圧縮機を収容する圧縮機室と、
冷媒と空気との熱交換を行う熱交換器と、
上記熱交換器に風を送るファンと、
上記熱交換器及びファンを収容すると共に、上記熱交換器からの風が通る風通路を有する熱交換器室と、
上記圧縮機室と熱交換器室とを仕切る仕切板と、
電装部品と、
上記仕切板よりも風通路側に配置されていると共に、上記電装部品に熱的に接続されたヒートシンクと、
上記熱交換器と上記ヒートシンクとの間に設けられて、上記熱交換器の局部からの輻射熱が上記ヒートシンクに入射することを遮る遮蔽部材と
を備えることを特徴とする空気調和機の室外機。【００１０】
上記構成によれば、冷房運転時に、上記圧縮機で圧縮された冷媒が上記熱交換器に供給され、この熱交換器に上記ファンで風が送られて、上記冷媒と空気の熱交換が行われる。ここで、上記遮蔽部材によって、上記熱交換器の局部から輻射熱がヒートシンクに入射することを防止できる。したがって、上記ヒートシンクの温度を従来よりも低くできるので、このヒートシンクを介した上記電装部品の冷却効率を、従来よりも向上することができる。なお、上記遮蔽部材は、上記ヒートシンクよりも上記風通路における上流側に設けられて、上記熱交換器の局部を通った風が直接上記ヒートシンクに当たるのを遮る機能を有してもよい。これにより、上記ヒートシンクの温度を効果的に低くできて、このヒートシンクを介した上記電装部品の冷却効率を、一層向上することができる。【００１１】
一実施形態の空気調和機の室外機は、上記ヒートシンクは、上記熱交換器室の風通路の上部に位置する。【００１２】
上記実施形態によれば、上記ヒートシンクが上記風通路の上部に位置することにより上記熱交換器から高温の風を受け易い場合であっても、上記遮蔽部材によって、上記熱交換器からヒートシンクへ風が流れることが妨げられる。したがって、上記電装部品の冷却効率が従来よりも向上する。【００１３】
なお、上部とは、空気調和機の室外機を設置したときに接地位置から遠い部分をいう。【００１４】
一実施形態の空気調和機の室外機は、上記熱交換器の上部に、上記圧縮機で圧縮された上記冷媒が入る冷媒入口が設けられている。【００１５】
上記実施形態によれば、上記冷媒入口から、上記圧縮機で圧縮されて温度が上昇した上記冷媒が、上記熱交換器内に入るので、この熱交換器の上部からの風は高温になり易い。したがって、上記遮蔽部材により、上記高温の風がヒートシンクへ流れることが妨げられるので、上記電装部品の冷却効率が、いっそう効果的に向上する。【００１６】
一実施形態の空気調和機の室外機は、上記ヒートシンクは、上記ベルマウスの外周面に沿って流れる風によって冷却される。【００１７】
上記実施形態によれば、上記ヒートシンクは、上記ベルマウスの外周面に沿って流れる風によって冷却されるので、上記熱交換器から直接流れる風によって冷却されるよりも、冷却効率がいっそう効果的に向上する。
【発明の効果】
【００１８】
以上のように、本発明の空気調和機の室外機は、圧縮機と、上記圧縮機を収容する圧縮機室と、冷媒と空気との熱交換を行う熱交換器と、上記熱交換器に風を送るファンと、上記ファンの外周囲に位置するベルマウスと、上記熱交換器、ファンおよびベルマウスを収容すると共に、上記熱交換器からの風が通る風通路を有する熱交換器室と、上記圧縮機室と熱交換器室とを仕切る仕切板と、電装部品と、上記仕切板よりも風通路側に配置されていると共に、上記電装部品に熱的に接続されたヒートシンクと、上記熱交換器と上記ヒートシンクとの間、かつ、上記ヒートシンクよりも上記風通路における上流側に設けられて、上記熱交換器の局部を通った風が直接上記ヒートシンクに当たるのを遮る遮蔽部材とを備えるので、冷房運転時に、上記熱交換器の局部から高温の風がヒートシンクへ直接流れることを防止できるので、上記ヒートシンクを介した電装部品の冷却効率を、従来よりも向上することができる。
【図面の簡単な説明】
【００１９】
本発明は以下の詳細な説明と添付の図面からより十分に理解できるであろう。添付の図面は説明のためだけのものであって、本発明を制限するものではない。図面において、
【図１】本発明の実施形態としての空気調和機の室外機を示す概略正断面図である。
【図２】図１に示す空気調和機の室外機の平断面図である。
【図３】図１に示す空気調和機の室外機の切断斜視図である。
【発明を実施するための最良の形態】
【００２０】
以下、本発明を図示の実施の形態により詳細に説明する。【００２１】
図１は、本発明の実施形態としての空気調和機の室外機を示す概略正断面図であり、ファン５による風の吹出し側から室外機内部を見た図である。【００２２】
図２は、上記空気調和機の室外機の平断面図であり、室外機をファン５の回転軸近傍で水平方向に切断して下方から見たである。図３は、上記室外機の切断斜視図であり、熱交換器室８を仕切板６の近傍部分で鉛直方向に切断して斜め前方から見た図である。図２及び３では、ケーシングは省略している。【００２３】
この空気調和機の室外機は、ケーシング１内に、冷媒を圧縮する圧縮機３と、上記冷媒と空気との間で熱交換を行う熱交換器４と、この熱交換器４に送風するファン５を備える。上記ケーシング１の内部は、仕切板６によって仕切られて、上記圧縮機３を収容する圧縮機室７と、上記熱交換器４およびファン５を収容する熱交換器室８とに概略区画されている。【００２４】
上記圧縮機室７の上部には、上記ケーシング１の天板に近接して電装部品箱１０が設けられており、この電装部品箱１０は上記仕切板６の上端に連結されている。この電装部品箱１０内に、上記圧縮機３に電力を供給するための電装部品が収容されている。上記電装部品は、上記圧縮機３に供給する電力の周波数を変更するインバータ素子と、このインバータ素子のスイッチング動作を制御するインバータ制御部とを含んでいる。また、上記電装部品箱１０内には、この室外機の動作を制御する室外機制御部が収容されている。【００２５】
上記電装部品箱１０は、概略直方体の樹脂で形成されており、下側面に設けられた溝に、上記仕切板６の上端が挿入されている。この電装部品箱１０の側面に、上記仕切板６で区画された熱交換器室８内に臨むように、ヒートシンク１１が設けられている。このヒートシンク１１は、上記電装部品箱１０内のインバータ素子に熱的に接続されている。【００２６】
上記ヒートシンク１１は、比較的高い熱伝導性を有する金属材料からなり、上記ケーシング１の天板と略平行な基体部と、この基体部から鉛直下側に向かって延びる複数のフィンとが一体に形成されている。上記複数のフィンは、平面がケーシング１の奥行き方向と平行に延びている。また、上記ヒートシンク１１は、奥行き寸法が、上記電装部品箱１０の奥行き寸法と略同じに形成されている。【００２７】
上記ヒートシンク１１の熱交換器４側の端面には、この熱交換器４の局部を通った空気が直接ヒートシンク１１に入ることを防止する遮蔽部材の一例としての遮蔽板１２が設けられている。この遮蔽板１２は、上記ヒートシンク１１の基体の幅と概略同じ幅を有すると共に、上記基体からフィンの先端に達する高さを有する。【００２８】
上記仕切板６は、ケーシング１の前面から熱交換器４側に向かって、奥行きの概略中央まで延びる横断部６１と、この横断部６１に連なり、圧縮機３の背面と熱交換器４の正面との間を、ケーシング１の背面の図１における右側の縁に向かって延びる斜め横断部６２とを有する。【００２９】
上記圧縮機３は、概略円筒形状のケーシング内に、圧縮要素とこの圧縮要素に圧縮動作を行わせるモータを収容している。この圧縮機３のモータに、上記電装部品箱１０内のインバータ素子および制御部で周波数制御した電力を供給して、上記圧縮機３の容量を制御するようになっている。【００３０】
上記熱交換器４は、ケーシング１の背面から左側面に亘って延在しており、水平方向の断面において、概略Ｌ字状の断面を有している。この熱交換器４は、冷媒を流す伝熱管と、この伝熱管に連結された複数のフィンとを有し、上記伝熱管に冷媒が入る冷媒入口が、熱交換器４の上部に設けられている。図１乃至３において、上記伝熱管およびフィンは図示しておらず、熱交換器４の概略の外形のみを図示している。上記伝熱管は、水平方向に延びると共に、鉛直方向に平行に配置された複数の水平部と、この水平部の端部を順次接続するＵ字部とで形成されており、上記冷媒入口から入った冷媒を、幅方向に蛇行しながら下方に流すように配管されている。上記フィンは、上記伝熱管の水平部と略直角に延びる金属製の板で形成されている。上記ケーシング１の背面と左側面に、上記熱交換器４に対向する位置に、吸気用の開口が設けられている。【００３１】
上記ファン５は、駆動モータ５１で回転駆動されて、図１の紙面の奥側から手前側に向かう風を生成するようになっている。上記駆動モータ５１は、上記電装部品箱１０内のスイッチ回路によって、駆動電力の供給がオンオフされるようになっている。【００３２】
上記ケーシング１内の正面側には、上記ファン５の外周囲を覆うベルマウス１４が配置されている。このベルマウス１４は、上記ファン５の径方向の先端に近接して開口を形成すると共に湾曲した断面を有する湾曲部１４ａと、この湾曲部１４ａの前面側に連なると共に、熱交換器室８の正面側を覆うフランジ部１４ｂとを有する。上記湾曲部１４ａは、熱交換器４側に向かうに伴って開口径が拡大しており、また、上記フランジ部１４ｂに向かうに伴って開口径が拡大している。【００３３】
上記圧縮機室７には、冷媒配管に介設されて冷媒圧力を降下させる図示しない膨張弁が配置されている。また、上記圧縮機室７には、図示しない四方切換弁が収容されており、この四方切替弁は、冷房運転と暖房運転に対応して、上記圧縮機３の吐出側を室外熱交換器４または室内熱交換器に選択的に接続して、冷媒の循環回路を切り替えるようになっている。【００３４】
上記構成の空気調和機の室外機は、以下のように動作する。まず、室内機の入力部に冷房運転を行う指令が入力されると、この指令を示す信号が、室内機から信号線を介して室外機の電装部品箱１０内の室外機制御部に入力される。この信号を受けた室外機制御部は、四方切替弁の接続状態を確認し、暖房接続状態である場合は四方切替弁を冷房接続状態に切り替える。また、上記室外機制御部は、室内機から受け取った室内の気温および設定温度の情報に基づいて、上記インバータ制御部に信号を出力する。また、上記室外機制御部は、上記スイッチ回路をオンにして、上記ファンの駆動モータ５１に駆動電力を供給する。【００３５】
上記インバータ制御部は、上記室外機制御部からの信号に基づいて上記インバータ素子のスイッチング動作を制御し、このインバータ素子から所定周波数の電力を圧縮機３に供給する。この圧縮機３は、供給電力の周波数に応じた回転数でモータが駆動されることにより、圧縮要素が所定容量で動作して、所定圧力および流量の高圧冷媒ガスを吐出する。【００３６】
また、上記ファン５は、上記駆動モータ５１によって回転駆動されて、室外機の左側面および背面から前面に向かう風を生成する。これにより、ケーシング１の熱交換器室８内に、風通路が形成される。すなわち、ケーシング１の背面および左側面に形成された吸気用開口から空気が吸い込まれ、この空気が、図２および３の矢印Ａで示すように熱交換器４を通過する。この熱交換器４には、上記圧縮機からの高圧冷媒ガスが、四方切換弁を介して供給される。この熱交換器４で、上記高圧冷媒ガスと空気との熱交換が行われて、上記冷媒ガスが凝縮すると共に、上記空気の温度が上昇する。上記熱交換器４からの空気は、ベルマウスの湾曲部１４ａで形成された開口を通り、ケーシング１の前面から室外機の外に吹き出される。上記熱交換機４からの冷媒は、膨張弁で減圧されて温度が低下し、室内機に送出される。【００３７】
上記熱交換器４で冷媒ガスと熱交換を行った空気は、外気温度や室内の熱負荷等の条件により、約８０℃程度の高温になる場合がある。特に、上記熱交換器４の上部は、冷媒入口が設けられおり、この冷媒入口から高圧冷媒ガスが流入するので、この熱交換器４の上部からの空気は高温になり易い。この熱交換器４の上部に近接して、上記ヒートシンク１１が配置されているものの、本実施形態の室外機では、上記ヒートシンク１１の熱交換器４側に遮蔽板１２が設けられているので、高温の空気がヒートシンク１１に入ることが防止される。具体的には、図２及び３の矢印Ｂで示すように、熱交換器４の上部からの空気は、上記遮蔽板１２によってヒートシンク１１を迂回する。これにより、ベルマウス１４の湾曲部１４ａの開口を形成する面と逆側の面、すなわち、上記ベルマウス１４の湾曲部１４ａの外周面を矢印Ｃで示すように流れる旋回流が、上記ヒートシンク１１に流入する。この旋回流によってヒートシンク１１に導かれる空気の殆どは、熱交換器４の下部を通過した空気である。この上記熱交換器４の下部を通過してベルマウス１４の湾曲部１４ａの外周面を流れる間にミキシングされた空気は、温度が平均化されているので、上記熱交換器４の上部を通過した空気よりも温度が低い。さらに、上記遮蔽板１２によって、上記ヒートシンクの比較的高温となる上部からの輻射熱が、上記ヒートシンク１１に入ることが防止される。その結果、上記ヒートシンク１１を、従来よりも効果的に冷却することができる。例えば、上記ヒートシンク１１が、インバータ素子の発熱によって９０℃程度の温度になる場合においても、上記旋回流によって導かれて温度が８０℃よりも低い空気により、上記ヒートシンク１１を従来よりも高い効率で冷却できる。その結果、上記ヒートシンク１１に熱的に接続されたインバータ素子等の電装部品を、従来よりも高い効率で冷却することができる。【００３８】
上記実施形態において、ヒートシンク１１は、フィンの配列方向がケーシング１の奥行き方向と平行であったが、フィンの配列方向をケーシング１の幅方向と平行にして、ベルマウスの湾曲部１４ｂを流れる旋回流の流れ方向と略平行にしてもよい。【００３９】
また、上記ヒートシンク１１の配置位置は、ケーシング１の上部以外であってもよい。【００４０】
また、上記熱交換器４は、冷媒が流入する冷媒入口が、上部以外の部分に設けられていてもよい。【００４１】
また、上記遮蔽部材は、板状の遮蔽板１２であったが、熱交換器４の局部を通過した風がヒートシンク１１に当たることを防止できれば、他の形態を有するものでもよい。【００４２】
また、上記遮蔽部材としての遮蔽板１２は、上記熱交換器室８における空気の流れに関係無く、上記熱交換器４とヒートシンク１１との間に設けられて、上記熱交換器４の局部から輻射熱が入射することを防止するものであってもよい。この場合、上記熱交換器室８のベルマウス１４は無くてもよい。【００４３】
以上、本発明の実施形態を説明したが、これは種々変更してもよいことは明らかである。そのような変更は、本発明の精神と範囲からの逸脱ではあるとみなされるべきではなく、当業者にとって自明であるような変更はすべて、次に続く特許請求の範囲の中に含まれるものである。
【図１】
2006054547.tif 000002
【図２】
2006054547.tif 000003
【図３】
2006054547.tif 000004
【国際調査報告】
2006054547.tif 000005
2006054547.tif 000006